(57)【要約】可撓性の樹脂含浸現場硬化型ライナを引き込んで、該ライナで既設の輸送管又管路のライニングを行い、樹脂含浸膨張ブラダを空気で膨張させて、圧力損失なしに貫流蒸気でライナを硬化させるプロセスを提供する。ライナは、外層を形成する不浸透性膜とともに管状に形成される樹脂吸収性材料を含む。また、膨張ブラダは、外層を形成する不浸透性膜とともに管状に形成される樹脂吸収性材料と、末端部に排気アセンブリを含んでおり、折り畳まれたライナ内へと、加圧された反転装置に通される。ブラダが末端部に達すると、排気アセンブリは、裏返ったブラダを出て、排気ホースに接続される。そして、蒸気が反転装置に導入されて、樹脂を硬化させ、排気管を通って排出される。硬化後、蒸気はライナを冷やすために空気と置換され、ライナの端部が切断されてホストパイプによる設備が復旧する。【選択図】図１
2008518820.tif 000002
【特許請求の範囲】
【請求項１】
可撓性の樹脂含浸ライナを反転させて該ライナを既設輸送管路に合致させ、樹脂を硬化させることによって、第１の出入りポイントから第２の出入りポイントまで可撓性の樹脂含浸ライナを用いて既設輸送管路の非開削更生を行う方法であって、
可撓性の樹脂含浸ライナを供給して、可撓性ライナの一端部を前記第１の出入りポイントから前記第２の出入りポイントまで輸送管路に引き込み、
可撓性の膨張ブラダを供給し、
前記膨張ブラダの末端部に排出部を配置し、
前記排出部が前記第２の出入りポイントに到達するように、前記排出部を有する前記膨張ブラダを、可撓性ライナ内へと空気で反転させ、
水蒸気をブラダ内に導入して、水蒸気がブラダを貫流して前記排出部から出るようにし、
ライナ内の樹脂を硬化させる方法。
【請求項２】
前記膨張ブラダは樹脂含浸材料層を有する、請求項１に記載の方法。
【請求項３】
前記膨張ブラダ内の樹脂は前記ライナ内の樹脂とともに硬化する、請求項２に記載の方法。
【請求項４】
前記排出部は、選択的に開くことができる弁を備えた第１のキャップ付き端部と、第２の開口端部を有する管である、請求項１に記載の方法。
【請求項５】
排出管は、前記キャップ付き端部が前記ブラダに挿入された状態で前記膨張ブラダの末端部に固定される請求項４に記載の方法。
【請求項６】
可撓性の平置きホースを前記膨張ブラダの末端部に固定するステップをさらに有する、請求項１に記載の方法。
【請求項７】
水蒸気が前記平置きホースを通って前記ブラダ内に導入される、請求項６に記載の方法。
【請求項８】
反転が完了する前に、水蒸気ホースを前記平置きホースの末端部に取り付けるステップをさらに有する、請求項６に記載の方法。
【請求項９】
平置きホースを提供するステップをさらに有し、該平置きホースはその長手方向に沿って平らな状態の平置きベースを貫通して形成される複数の開口を有するようにした、請求項６に記載の方法。
【請求項１０】
前記開口は扁平な前記平置きホースの２つの側縁部に沿って交互に形成される、請求項９に記載の方法。
【請求項１１】
前記平置きホースの末端部を前記膨張ブラダ内に通す前に、蒸気源を前記平置きホースの末端部に取り付けることをさらに含む、請求項６に記載の方法。
【請求項１２】
前記ブラダ内に圧力を発生させるための少なくとも１つの可撓性をもった括約筋状の弁を有する反転ユニットに、前記膨張ブラダを通して反転させるステップを有する、請求項１１に記載の方法。
【請求項１３】
前記ブラダは前記括約筋状の弁の下流で前記反転ユニットに導入される空気を用いて反転される、請求項１２に記載の方法。
【請求項１４】
可撓性の樹脂含浸チューブを反転させて、既設輸送管路の非開削更正を行う方法であって、
前記可撓性の樹脂含浸チューブを供給し、
前記チューブを既存の管内へと反転させ、
反転される前記チューブの末端部に、穴の開いた平置きホースを取り付け、
反転したチューブを貫流する水蒸気用の排出部を用意し、
前記平置きホース及び反転した前記チューブの内部に水蒸気を導入して、水蒸気が前記排出部を貫流するようにし、
含浸チューブの樹脂を硬化させる方法。
【請求項１５】
反転した前記含浸チューブの長手方向に沿って水蒸気を分布させるために、平らな状態の平置きホースの側縁部に複数の開口を交互に形成するステップを有する、請求項１４に記載の方法。
【請求項１６】
水蒸気がチューブの底部に形成された凝縮水溜まりに注入される、請求項１５に記載の方法。
【請求項１７】
樹脂含浸ライナを用いて既設輸送管路の非開削更正を行うための排出アセンブリであって、
第１の端部にて選択的に開くことが可能な弁及びアセンブリの第１の端部を閉鎖するキャップを有する細長い中空の管状部材を備え、
前記管状部材は、可撓性の樹脂含浸チューブの末端部の内部に位置する、バンド締めのための第２の開口端部を有し、ホース部分のキャップ付き端部が前記チューブ内に位置され、前記開口端部がライナの端部を向くようにした排出アセンブリ。
【請求項１８】
前記第２の開口端部に固定された凝縮水ドレインをさらに有する、請求項１７に記載の排出アセンブリ。
【請求項１９】
前記第２の開口端部に取り付けられた抑止取付具をさらに有する、請求項１７に記載の排出アセンブリ。
【請求項２０】
チューブ内に形成される外側の不浸透性層を有する樹脂含浸可能材料からなる一本のライニング材料と、
チューブの末端部に形成された排気口を有し、該排気口は、不浸透性層及び隣接する含浸可能材料に開けた穴と、前記チューブの長手方向に向いた部分を付着させずに前記穴を覆うように位置した、ライニング材料からなる第１のパッチ部材と、非固定とされる領域にて、前記不浸透性層に固定された前記第１のパッチ部材と重なるように配置した第２のパッチ部材を用いて形成されており、前記非固定とされる領域は前記第１のパッチ部材の非固定の領域と協働して、前記チューブが反転される際に、前記穴を通して空気を逃がすようにした可撓性樹脂ライナ。
【請求項２１】
現場硬化型ライナを水蒸気で硬化させるための平置きホースであって、
蒸気温度に耐え得る材料からなる一本の可撓性ホースと、
平置き状態のホースの側縁部に形成された複数の穴と、を備える平置きホース。
【請求項２２】
前記穴は前記側縁部において交互に形成されている、請求項２１に記載の平置きホース。
【請求項２３】
前記ホースの遠位端部が閉じている、請求項２１に記載の平置きホース。
【請求項２４】
前記穴が４インチから１８インチの間隔をもって離間して形成される、請求項２１に記載の平置きホース。
【請求項２５】
前記ホースがゴム製である、請求項２１に記載の平置きホース。
【請求項２６】
前記ホースはポリエステルで強化されたニトリル被覆の排出ホースである、請求項２５に記載の平置きホース。
【発明の詳細な説明】
【技術分野】
【０００１】
本出願は２００４年１１月３日出願の同時係属仮出願第６０／６２４，８４１号に基づく。
【０００２】
本発明は、樹脂含浸ライナを既設導管内へと引き込み、樹脂含浸膨張ブラダを空気で裏返して、樹脂を連続蒸気流により圧力損失なしに硬化させる、現場硬化型ライナの設置法、及びこの方法を実施する装置に関する。本方法及び装置は特に、中径から大径の現場硬化型ライナを設置するのに好適である。
【背景技術】
【０００３】
導管及び輸送管路、特に、流体を通すために用いられる衛生下水排水管、雨水排水管、水道、ガス管線のような地中管路は、流体の漏れ又は劣化が原因で補修を頻繁に必要とすることが一般によく知られている。このような漏れは、周囲環境から輸送管路の内部又は通流部へと内側へ向かう場合がある。あるいは、漏れは、輸送管路の通流部から周囲環境へと外側に向かう場合がある。いずれにせよ、この種の漏れを回避することが望ましい。
【０００４】
漏れは、元の輸送管路の不適切な設置、又は通常の経年変化による管路自体の劣化、又は腐食性物質や研磨性物質を運ぶ影響に起因する。管継手又はその近傍での亀裂は、地震や、上方表面上での大型車両の通行、又は同様な自然又は人工的な振動などの環境条件、あるいは、その他の原因により引き起こされる。原因の如何にかかわらず、そのような漏れは望ましくなく、輸送管路内を運ばれる流体の浪費となり、又は周囲環境への損害をもたらし、公衆衛生に対する危険な障害を生じさせる可能性がある。漏れが続くと、それは、表土及び導管の側面支持を喪失させ、既設導管の構造上の欠陥につながる場合がある。
【０００５】
絶えず増大している人件費及び機械設備費の故に、管路を掘り起こして新しい管路と交換することによって、漏れの可能性がある地中の管路又は部分を修理することは、ますます困難で不経済になっている。それ故、既存の輸送管路の現場修復又は更生のための種々の方法が考案されてきた。これらの新しい方法によれば、管路又は管路部分を掘り起こして交換することに伴う費用と危険、そして、一般の人々が被る、工事中の多大な不便が回避される。現在広く用いられていて最も功を奏する、輸送管路の修復又は非開削更生工法の１つは、インシチュフォーム（登録商標）工法と呼ばれる。この工法は、特許文献１乃至３に詳述されており、その内容は引用によって全て本明細書に組み込まれる。
【０００６】
インシチュフォーム（登録商標）工法の標準的な実施において、フェルト布、発泡体又は同様の樹脂含浸可能材料を用い、外側の不浸透性被覆を有する細長い可撓性の管状ライナが熱硬化性硬化樹脂で含浸され、既設の輸送管路内に設置される。このライナは、特許文献２及び特許文献３に記載するように、反転プロセスを用いて設置される。この反転プロセスでは、反転されたライナの内側に半径方向の圧力が加えられ、ライナが輸送管路の内面に押し付けられて係合する。但し、インシチュフォーム（登録商標）工法は、ロープ又はケーブルによって樹脂含浸ライナを導管内に引き込むとともに、ライナ内で反転される別の流体不浸透性膨張ブラダ又はチューブを用いることにより、既設輸送管路の内壁に対してライナの硬化を引き起こすことで実施される。そのような樹脂含浸ライナは、一般に「現場硬化型パイプ」又は「ＣＩＰＰライナ」と称され、その設置はＣＩＰＰ設置と呼ばれる。
【０００７】
ＣＩＰＰ可撓性管状ライナは、その初期状態において比較的柔軟で、ライナの外側を被覆する実質的に不浸透性のポリマーからなる、滑らかな外層を有する。反転の際には、設置中にライナが反転された後で、この不浸透層はライナの内側となる。可撓性ライナは、輸送管路内に現場で設置されると、該輸送管路は、好ましくは水又は空気のような反転用流体を用いて内部から加圧されるが、これはライナを半径方向の外側に押し付けて既設輸送管路の内面に嵌め合わせて合致させるためである。
【０００８】
通常、ライナ又はブラダを反転させるのに必要な圧力水頭を与えるため、設置現場に反転タワーを建てる。あるいはその代わりに、特許文献４、特許文献５、及び特許文献６に記載して説明した反転ユニットが使用され、これらの特許文献の内容は、参照により本明細書に援用される。反転ライナの端部に取り付けた再循環ホースを介して、反転したライナに熱水を投入することで硬化が開始される。反転用の水は、ライナの硬化が完了するまで、ボイラや熱交換器などの熱源を通って再循環され、反転したライナへと戻される。次いで含浸可能な材料に含浸させた樹脂が硬化し、既設輸送管路内において硬質の隙間なく嵌った剛性パイプライナを形成する。新しいライナは全ての亀裂を効果的に封止し、管路部分や管継手の劣化を修復し、これは既設輸送管路内への漏れや輸送管路外への漏れのいずれをも防止するためである。硬化した樹脂はまた、既設輸送管路の壁を強化する役目をもち、これは周囲環境に対する構造上の支持をさらに強化することを目的とする。
【０００９】
現場硬化型管状ライナを引き込み及び膨張法で取り付ける場合に、ライナは反転法と同様に樹脂が含浸され、畳んだ状態で輸送管路内に配置される。通常、下端部にエルボを有するダウンチューブ、膨張パイプ又は導管を、既存のマンホール又は出入りポイント内に配置し、反転ブラダをダウンチューブに通してこれを開き、エルボの水平部分の開口部を覆うように折り返す。次いで、既設導管内の折り畳んだライナで、膨張ブラダの折り返し端部を覆うように配置し、折り返し端部に固定する。そして、水などの反転用流体をダウンチューブに供給することで、水圧により膨張ブラダがエルボの水平部分から押し出され、折り畳んだライナが膨張して、既設導管の内面に押し付けられる。膨張ブラダの反転は、ブラダが下流のマンホール、つまり第２の出入りポイントに到達して拡がるまで続けられる。この時点で、既設導管の内面に押し付けられたライナが硬化可能になる。熱水が膨張ブラダに導入されて硬化が始まり、その熱水は含浸ライナ内の樹脂を硬化させるために循環される。
【００１０】
ライナ内の樹脂が硬化した後で膨張ブラダを取り除くか、又はこれを硬化したライナ内のその場に残すことができる。膨張ブラダを現場に残す場合には、ブラダは通常、不浸透性の外層の内側に、比較的薄い樹脂含浸可能な層を有する。この場合、当技術分野で公知のように、反転後の含浸可能層により、ブラダはライナの樹脂含浸層に固着する。この時点で、ライナを開いて、ブラダを膨張させるのに使用した水を排出し、マンホール内に延在する端部を切り離すために、マンホール又は出入りポイントに入る必要がある。膨張ブラダを除去する場合には、膨張ブラダの後端部に取り付けられて、反転速度の制御に使用する抑止ロープを脱出端部で引っ張ることで、膨張ブラダを除去することができる。これは通常、ブラダを反転させて樹脂の硬化を開始させるのに使用する水を排出するために、受け側でブラダの空気を抜いた後で行われる。最終的にダウンチューブが取り外され、ライナを裏当てした輸送管路によって設備が再び接続される。交差した設備の接続部分が存在する場合には、ライナを付設した輸送管路による設備が再開する前に、それらの接続部分が再び開かれることになる。
【００１１】
インシチュフォーム（登録商標）工法で利用する既存の水反転法では、ライナは冷水を使って反転される。既設導管内でライナを完全に反転させた後で、加熱水をライナの反転面に接続された平置き管に通して循環させる。熱水は、硬化サイクルの間、循環される。中径及び大径の管では、ライナ直径が大きくなるにつれて、反転に必要な水量が劇的に増加する。ライナを膨張させるために使用する水は全て、反転式であっても引き込み及び膨張式であっても、加熱及び硬化サイクル中に加熱しなければならない。また、硬化が完了すると、ライナを導管の端部で切断した後、硬化用の水が下流の導管に放流できる温度になるまで、冷水を加えるか又は循環を続行させて硬化用の水を冷却するか、あるいは硬化したライナから硬化用の水をポンプで送水して、基準を満たす廃棄処理システムへと運ぶ必要がある。
【００１２】
水を使ったこれらの装置を用いる主な欠点は、反転用の水量とその入手可能性にある。水は通常、硬化の目的で５５°Ｆ乃至１８０°Ｆに加熱され、そして基準を満たす廃棄処理システムへと排出される前に、さらに水を加えて１００°Ｆにまで冷却しなければならない。
【００１３】
この欠点は、反転力を発生させるために、水の代わりに空気を使用すれば克服することができる。含浸ライナが完全に反転されると、含浸ライナを水蒸気で硬化させることができる。水蒸気を発生させるには水が必要であるが、水蒸気の形態での水量は、水による反転、硬化、及び冷却に必要とされる水量の５乃至１０％にすぎない。このことは、たとえ水が現場で簡単に入手できない場合でも、水蒸気を硬化に使用できることを意味する。水量をこのように大幅に低減できるのは、１ポンドの加熱水に比べて水蒸気の形態の１ポンドの水から得られるエネルギーの方が大きいことによる。１ポンドの水蒸気が凝縮して１ポンドの水になると、約１０００ＢＴＵの熱が放出されるのに対して、１ポンドの水は、温度が１°低下するごとに１ＢＴＵだけ熱を放出する。必要とする水量がこのように低減されることに加えて、昇温サイクルが事実上不要になることで、硬化サイクル時間及び取付時間が大幅に短縮される。
【００１４】
空気による反転及び水蒸気による硬化の使用にこのような明白な利点がありながら、水による反転及び熱水による硬化を廃止するのに業界が手間取っているのはなぜであろうか。
【００１５】
樹脂含浸ライナの反転に水を使用する場合に、反転ノーズ部から反転装置にかけてライナの反転されない部分は、ライナによって置換される水量に等しい浮力により浮き上がる。ＣＩＰＰライナの場合、これは、ライナの有効重量が大幅に減少し、反転されていないライナを反転ノーズ部に向けて引っ張るのに必要な力も低減することを意味する。反転力を発生させるために空気を使用する場合、反転されないライナは管路の底部にあり、ライナの反転ノーズ部に作用する空気圧でライナの全重量を前方に引っ張る必要がある。
【００１６】
反転エネルギーの発生に如何なるものを用いようとも、ＣＩＰＰライナを反転させるには、３つの力を克服しなければならない。これらの力とは以下のものである。
【００１７】
１．ライナを反転させる（ライナを裏返す）のに必要な力。この力は、ライナの厚さ、材料の種類、及びライナ厚さと直径との関係によって変わる。
【００１８】
２．反転装置から反転ノーズ部までライナを引っ張るのに必要な力。
【００１９】
３．ライナを反転装置によって引っ張るのに必要な力。
【００２０】
上記の１番目の力（１）は通常、空気による反転と、水による反転とで同じである。
【００２１】
２番目の力（２）は空気と水で大きく異なり、空気による反転の長さを制限することがある。取り付けるＣＩＰＰライナの品質に悪影響を及ぼすことなく、及び／又は、既設導管に損傷を与えることなく、ライナを反転させるために使用することができる圧力には制限がある。必要な引張力を小さくするために、水による反転と空気による反転の両方において、潤滑剤を使用することができる。
【００２２】
３番目の力（３）は、装置設計によって変わる場合がある。現在使用されている殆どの装置では、ライナをその装置に通して引っ張るのに必要な力は、１番目の力と２番目の力のいずれか又は両方が大きくなると増加する。これは、利用できる反転エネルギーを増やすために、今日使用されている典型的な装置では、ライナの入り口ポイントの下の圧力室から、装置及び反転されるライナのバンドで縛り付けた折り返し端部に至るまでの加圧流体の損失を抑制する必要があるという事実による。通常、空圧式の括約筋状グランドの空気圧を増加させることによって、又は反転用流体によって作動されるグランドを使用することによって、この抑制を行う。通常の場合、内方への移動は、グランド材料及び反転ＣＩＰＰライナの圧縮によって制限される。そして、これにより、反転ＣＩＰＰライナとグランドとの間の摩擦が増加することになる。
【００２３】
代案として、水蒸気がもつエネルギーを考慮して、水蒸気の使用が提案された。膨張ブラダを膨張させるために空気を使用し、そして貫流水蒸気を使用することは、インシチュフォーム（登録商標）による特許文献７及び特許文献８に開示されており、これらの特許文献の内容は、参照により本明細書に援用される。これらの最近登録された特許に開示した方法は、引き込み及び膨張技術を利用し、これまでのところ小径のライナに対して使用されている。これらの方法は、小径サイズのライナに対して、水による反転に勝る利点をもたらす。これらの特許に開示した浄化容器を使用することは、中径のライナや大径のライナには適さない。なお、中型ライナではその直径が約２１インチ（０．５３３４ｍ）と約４５インチ（１．１４３ｍ）との間とされる。大径のライナではその直径が４５インチを超える。
【特許文献１】米国特許第４，００９，０６３号明細書
【特許文献２】米国特許第４，０６４，２１１号明細書
【特許文献３】米国特許第４，１３５，９５８号明細書
【特許文献４】米国特許第５，１５４，９３６号明細書
【特許文献５】米国特許第５，１６７，９０１号明細書（再発行特許第３５，９４４号）
【特許文献６】米国特許第５，５９７，３５３号明細書
【特許文献７】米国特許第６，７０８，７２８号明細書
【特許文献８】米国特許第６，６７９，２９３号明細書
【特許文献９】米国特許第４，３６６，０１２号明細書
【発明の開示】
【発明が解決しようとする課題】
【００２４】
硬化に熱水を利用する既存の方法には上記の様々な利点があるものの、その欠点は、エネルギーと人件費を増加させる傾向があり、また水の大量使用を必要とし、その水には、通常使用する樹脂のタイプに起因してスチレンが混入することがある。従って、中径及び大径のＣＩＰＰライナに適した補修方法を提供することが望まれており、その場合に、現在実施されている様々な補修方法よりも速くかつ経済効率の良い設置方法を提供するために、水蒸気の利用可能なエネルギーを用いることで、ライナは、統合された空気及び水蒸気の排出パイプを有する樹脂含浸膨張ブラダにより、空気を用いて膨張し、樹脂を水蒸気の貫流によって硬化させる。
【課題を解決するための手段】
【００２５】
概略的に言うと、本発明に従って、現場硬化型ライナの引き込み及び膨張設置法によって既設輸送管路を補修する方法が提示される。空気は、樹脂含浸膨張ブラダの膨張に使用され、ライナ及びブラダ内の樹脂は、圧力損失なしに貫流水蒸気で硬化する。樹脂含浸ライナは補修を要する既設輸送管路内に引き入れられ、輸送管路を越えて延在する端部が切断される。不浸透性のコーティングを被覆された樹脂含浸材料層を有する膨張ブラダには、その末端部に排出管が取り付けられる。この排出管は、抑止取付具を備えた開口端を有する。その反対側、つまり水蒸気弁を備えたキャップ付き端部を有す先端部は、膨張ブラダの後端部に挿入され、該先端部が、膨張ブラダの末端部、つまり抑止端部にバンド締めされる。
【００２６】
抑止ロープと、穴の開いた平置きホースは、抑止取付具に取り付けられる。樹脂含浸ライナがホストパイプに引き入れられる。膨張ブラダは、反転ブーツを備えた加圧反転チャンバを通って引き込まれる。ライナの近位端部は、反転ブーツ上の反転ブラダを覆うようにバンド締めされる。加圧された空気が、反転チャンバの弁に供給され、反転用空気によってブラダが反転し、引き込みライナを膨張させる。
【００２７】
排出管がホストパイプの遠位端部に達して見えるようになると、反転が停止される。穴の開いた平置きホースが切断され、その末端部には水蒸気ホースが取り付けられる。チューブ端部アセンブリがライナの近位端部に取り付けられ、反転ブラダが反転されることで、膨張チューブが端部アセンブリと係合し、反転が完了した際に排出管が露出する。
【００２８】
露出した排出管の遠位端部には、排出ホースが取り付けられる。平置きホースの近位端部に連結された水蒸気ホースはボイラに接続される。水蒸気が平置きホースに供給されることでライナが暖められ、ライナ内の圧力を維持するために、排出管の排出弁が開かれる。水蒸気及び空気の流れについては、充分な温度に上昇するまで維持され、それから空気を減らし、供給される全水蒸気によって樹脂を硬化させる。硬化サイクルの終期には、水蒸気弁を徐々に閉めていき、冷却を開始するために空気が加えられる。従来の設置法と同様に、ライナの端部が切断される。
【００２９】
従って、本発明の目的は、樹脂含浸ライナを引き込んで、膨張ブラダを反転させる空気を利用して樹脂含浸ブラダを反転させて膨張させることにより、現場硬化型ライナを取り付ける、既設輸送管路の改良された更正方法を提供することである。
【００３０】
本発明の別の目的は、現場硬化型ライナの取り付けに使用する改良された膨張ブラダを提供することであり、該ブラダの後端部には排出管が取り付けられる。
【００３１】
本発明のさらなる目的は、貫流水蒸気を利用して樹脂を硬化させることで、現場硬化型ライナの改良された引き込み及び膨張設置方法を提供することである。
【００３２】
本発明のさらに別の目的は、引き込み及び膨張によって現場硬化型ライナを取り付ける、改良された方法を提供することにあり、空気を用いてブラダを反転させてライナを膨張させ、そして貫流水蒸気を用いて膨張ブラダ及び引き込みライナ内の樹脂を硬化させる。
【００３３】
本発明のさらに別の目的は、膨張ブラダの後端部に取り付けられて、膨張ブラダ及びライナを貫流する空気及び水蒸気の排出を可能にする排出部を提供することである。
【００３４】
本発明のさらに別の目的は、現場硬化型ライナの改良された設置方法を提供することにあり、ブラダの長手方向に沿って制御される水蒸気を供給するために、膨張ブラダの後端部に結び付けた、穴付きの平置き管を使用して、水蒸気でライナを硬化させる。
【００３５】
本発明のさらに別の目的及び利点について、その一部は明白であり、また他の部分は本明細書から明らかになるであろう。
【００３６】
従って、本発明には幾つかのステップと、１つ又は複数のそのようなステップの他のステップに対する関係が含まれ、詳細な開示に例示される特徴、特性、及び各要素の関係を有する装置と本発明の範囲が特許請求の範囲に示される。
【発明を実施するための最良の形態】
【００３７】
図１は、ハイウェイ１３、１４の下を横切る既設の通路１２を備えた、典型的なハイウェイ排水路１１を示す。図１は上側開口１６及び下側開口１７を示す。樹脂含浸ライナは、適切な冷蔵トラック１９で現場に持ち込まれ、下側開口端１７にあるウインチ４３によって上部開口端１６から引き込まれる。ライナ１８は、損傷を防止し、長手方向の伸びを管理するために、ポリプロピレン製スリーブで巻装される。
【００３８】
当技術分野で一般的に公知のタイプの、可撓性をもった現場硬化型ライナは、可撓性樹脂含浸材料による１つ以上の層、例えば、不浸透性ポリマーフィルムの外層を有するフェルト層などで形成される。フェルト層及びフィルム層は、継ぎ目線に沿って縫合されて管状ライナを形成する。テープ状又は射出成形材料の形態の、相性のよい熱可塑性フィルムが継ぎ目線上に置かれるか又は押し出されるが、これはライナの不浸透性を保証するためである。そのようなライナは、特許文献７及び特許文献８に詳しく記載されている。
【００３９】
直径がより大きなライナには、フェルト材料からなる複数の層を使用することができる。フェルト層は、天然の可撓性樹脂吸収性材料又はポリエステル繊維やアクリル繊維などの合成の可撓性樹脂吸収性材料とすることができる。外層の不浸透性フィルムは、当技術分野で公知のように、ポリエチレンもしくはポリプロピレンなどのポリオレフィン系、ポリ塩化ビニルなどのビニルポリマー、又はポリウレタンとされる。全ての非開削更生設置の最初の段階で、既設の輸送管路は洗浄及びビデオテープ撮影によって準備が整えられる。
【００４０】
図２（ａ）、図２（ｂ）、図２（ｃ）を参照すると、キャップ付き端部２２を備えた排出管２１が示されており、水蒸気弁２３が末端部で膨張ブラダ２４に挿入される。排出管２１は、鋼で被覆された一本の水蒸気ホース２６から形成され、抑止取付具２８を備えた開口端２７を有する。排出管２１の反対側の端部、つまり先端部２９は、膨張ブラダ２４の後端部に挿入され、この膨張ブラダの後端部は、鋼製バンド３１で排出管２１の後端部、つまり抑止端部に縛り付けられている。排出管２１は樹脂フィルムチューブ３４で覆われ、この樹脂フィルムチューブは多数のケーブルタイ３６で拘束されることで、ブラダ２４が裂けないように防止している。
【００４１】
図３に示すように、排出管２１のキャップ付き端部２２は、膨張ブラダ２４に挿入され、バンド３１で固定される。抑止ケーブル３２は、抑止取付具２８に取り付けられる。また、凝縮パイプ３３が排出管２１の開口端２７に取り付けられる。
【００４２】
膨張ブラダ２４はまた、図８に示すように、ブラダ２４の端部から約２フィート（０．６０９６ｍ）乃至約４フィート（１．２１９２ｍ）のところに形成された排気口８１を有することができる。これは、ブラダ２４が反転される際に、ブラダ２４内の空気が反転装置内の弁を通過する前に、この空気を排出できるようにする。排気口８１は、ブラダ２４の上部層に１／２インチ（１．２７ｃｍ）の穴８２を開け、その穴を、３つの側辺部が固定された第１のパッチ８３で覆うとともに、排気口８１を形成するために、これもまた３つの側辺部が固定された大きい方の第２のパッチ８４で第１のパッチを覆うことで形成される。パッチ８３、８４は、外側に不浸透性層を有するライナ材料で形成される。
【００４３】
排気口８１の典型的な寸法は以下の通りである。第１のパッチ８３は、縦約３インチ（８．８９ｃｍ）乃至約６インチ（１５．２４ｃｍ）で、横約３インチ乃至約６インチとされ、穴８２上に置かれる。通常、パッチ８３は３インチ（８．８９ｃｍ）及び５インチ（１２．７ｃｍ）の長方形とされ、２つの短辺部及び遠位側の長辺部がブラダ２４の外層に固定される。第２のパッチ８４は、若干大きいことを要し、縦約４インチ（１０．１６ｃｍ）乃至約７インチ（１７．７８ｃｍ）で、横約４インチ乃至約７インチとされる。通常、パッチ８４は、一辺が４インチで他辺が６インチとされ、２つの短辺部及び手前側の長辺部がブラダ２４の外側コーティングにしっかりと固定される。
【００４４】
本発明による方法に従って取り付けを開始する前に、「ウエットアウト」と呼ばれる方法によって熱硬化性樹脂をライナ１８のフェルトに含浸させる。ウエットアウト法は通常、ライニング技術では公知のように、端部又は不浸透性フィルム層内に形成した開口からフェルト層に樹脂を注入し、真空に引き、含浸ライナをニップローラに通すことを含む。真空含浸の、そうした１つの手順は、インシチュフォーム（登録商標）の上記特許文献９に記載されており、この特許の内容は、参照により本明細書に援用される。ポリエステル樹脂、ビニルエステル樹脂、エポキシ樹脂など幅広い種類の樹脂を使用することができ、これらの樹脂は要望通りに変更することができる。室温では比較的安定であって、加熱時に、容易に硬化する樹脂を用いることが望ましい。
【００４５】
含浸ライナ１８をホストパイプ１２の上側開口端１６からホストパイプ１２の下側開口端１７に向かって約２０フィート（６．０９６ｍ）のところに配置する。上側開口端１６から下側開口端１７までロープ又はケーブル１５を通す。次いで、ケーブル１５を引き込みウインチ４３に取り付けて上側開口端１６に向けて引き寄せる。
【００４６】
ポリプロピレンフィルム４２もしくは他の適切な樹脂フィルムからなるロール４１又はスリーブが、引き込みライナ１８の下方に置かれ、該ライナがホストパイプ１２に入る際に巻き付けられる。ウインチ４３によってライナ１８がホストパイプ１２に引き込まれるときに、ライナ１８を保護するために、スリーブ２０をライナ１８に折り重ね、バンド又はテープで縛る。ライナ１８の引き込みは、ライナ１８の遠位端部１８ｂがホストパイプ１２の端部から所望の距離に来るまで続けられる。開口１８ｃが遠位端部１８ｂに形成されており、これは排出管２１の正確な位置決めの助けとなる。
【００４７】
ブラダ２４は空気反転ユニットを用いてライナ１８内に向けて反転される。本実施形態では、反転ユニット５１は、ブラダ２４が空気で反転されるときにブラダ２４と係合する少なくとも１つの弁又はグランドを有する。ユニット５１は、上記特許文献４に示すタイプの少なくとも１つの括約筋状の弁５２を有し、引き込みライナ１８の後端部に配置される。ユニット５１は、入口端部５３と反転ブラダ２４の直径に合わせた反転ブーツ５６を備えた出口端部５４とを有する。空気が弁の空気流入口５７に注入されて弁５２を作動させ、ブラダ２４を拘束する。反転ブーツ５６は、空気を注入して膨張ブラダ２４の反転を制御するための反転用空気流入口５８を有する。
【００４８】
膨張ブラダ２４は折り畳まれ、ブーツ５６をバンド固定する面を十分に越えるまで反転ユニット５１に通される。次いで、ブラダ２４は、ブーツ５６に折り重ねられ、その上にバンドで固定される。次いで、バンドで固定されたブラダ２４を覆うように、引き込みライナ１８を反転ブーツ５６に縛り付ける。反転装置５１の括約筋状の弁５２を作動させ、反転ブラダ２４を反転させるための反転空気ホースを反転ユニット５１に接続する。
【００４９】
水による反転プロセスを用いた、従来の引き込み及び膨張設置法では、ブラダ及びライナ内の圧力が、ダウンチューブ内の水柱の高さによって維持される。硬化は含浸ライナを熱に当てることで始まる。これは通常、加熱した水を反転パイプに導入することで行われるか、又は反転ブラダの後端部に接続された抑止ロープによって反転ブラダに引き入れられる再循環ホースに、熱水を通して循環させることで行われる。一般的に、熱水を使用した硬化では、選択した樹脂の種類及びライナ厚に応じて約３時間から約５時間を要する。硬化後には、膨張ブラダを除去する前に、硬化後の加熱水を排出するために、下流のマンホールに入る必要がある。
【００５０】
これは中径及び大径のライナの場合に重大な問題をもたらし、特に、図１に示すような傾斜のきつい典型的なハイウェイ排水路において、再ライニングを行う場合に問題となる。多量の水が必要となるだけでなく、高低差による圧力が加わるために膨張ブラダを破裂させる虞がある。これを回避するためには、空気で膨張させ、水蒸気で硬化させることが望ましい。また、水蒸気の保有するエネルギーにより、ライナは、より速く、より低いエネルギーコストで硬化することになる。
【００５１】
例えば、下表１は、水による硬化と水蒸気による硬化を対比させて、エネルギー及び水の必要量を示しており、現場硬化パイプは、その長さが９．５フィート（２．８９５６ｍ）のダウンチューブ及び３．５フィート（１．０６６８ｍ）の下流端部を含めて１１４フィート（３４．７４７２ｍ）で、直径が４２インチ（１．０６６８ｍ）とされる。
【００５２】
【表１】
2008518820.tif 000003
【００５３】
図４は、上記特許文献４に開示したタイプの典型的なチューブ反転装置５１を示しており、この特許の内容は、本発明の好ましい実施形態に従って使用するために、参照により本明細書に援用される。この反転装置５１は、ホストパイプの上流端部で水平方向に取り付けることができる。上記特許文献４に示す各種の連結具が装置５１に取り付けられることで、括約筋状の弁５２を作動させる空気を導入して、膨張ブラダ２４の内部に反転用空気を供給し、膨張ブラダ２４及びライナ１８内の樹脂を硬化させる作用をもつ蒸気を供給することができる。
【００５４】
膨張ブラダ２４を反転装置５１に通して、バンドで反転端部に縛り付ける。ライナ１８の露出した上流側の端部は、ブラダ２４を覆うようにバンドで縛り付けられる。弁５２が加圧され、ブラダ２４は、ライナ１８内へと反転される。反転させるのに十分な空気圧が空気流入口に供給される。ブラダを送り込みながらブラダ２４の表面に潤滑剤を加えることで、ブラダ２４の反転中にグランドを通ってブラダが容易に移動できるようになる。
【００５５】
反転速度を一定に維持するために、反転用空気の供給量とブラダの圧力を調整する。推奨圧力は以下の通りである。
【００５６】
【表２】
2008518820.tif 000004
【００５７】
膨張ブラダ２４が反転装置５１を通過し、抑止端部が装置５１に近づくと、蒸気導入用の穴の開いた平置きホース７１を抑止取付具２８に取り付ける。抑止取付具２８、抑止ケーブル３２及び平置きホース７１を反転装置５１に入れるときには注意を要する。
【００５８】
通常、平置きホース７１は最小限の圧力で水蒸気温度に耐えるゴムなどの任意の可撓性ホース材料とされる。好適なゴムには、Ｖｉｔｏｎ（登録商標）ゴム、ＥＰＤＭゴム（エチレンプロピレンジエンゴム）、及びニトリル被覆の強化ポリエステルホース材料がある。そのようなホースは、耐油性及び耐候性をもつことが好ましい。通常、平置きホース７１は直径が４インチ（１０．１６ｃｍ）のホースである。しかし、直径が３インチ（７．６２ｃｍ）及び２インチ（５．０８ｃｍ）のものも、本発明による空気での反転及び水蒸気での硬化による設置時の使用に適する。水蒸気の使用後において、ニトリル被覆の強化ポリエステルホースの物理的な特性に劣化はみられない。このホースは、それ自体で水蒸気を運ぶために使用されるのではなくて、別のチューブ及びライナ内で使用され、従って、平置きホースにかかる圧力は、マニホルド出口圧力と硬化するチューブ及びライナの内圧との差である。この圧力差は通常、硬化開始時の約１．５ｐｓｉ（約１０３４２Ｐａ）から硬化サイクル終了付近での０．５ｐｓｉ（約３４４７Ｐａ）の範囲にある。
【００５９】
平置きホース７１には、所定のパターンで穴が開いており、末端部が閉じている。これらの貫通穴により、半径方向の高速な蒸気噴流及び乱流が発生し、平置きホース７１の位置又は回転にかかわらず、硬化中に、反転したライナ内の温度勾配を低減させ、熱伝達を促す。貫通穴の寸法は、ホストパイプの直径とホストパイプの裏当てする長さに応じて、直径が１／１６インチ（０．１５８７５ｃｍ）から１／４インチ（０．６３５ｃｍ）の範囲をとる。２つの穴の繰り返しパターンが、平置きホースにおいて互いに反対側を向いて配置され、長手方向に４インチ（１０．１６ｃｍ）から１２インチ（３０．４８ｃｍ）の間隔をもって離されて、平置きホースの全長に亘って形成される。穴の寸法については、水蒸気流が平置きホースの全長に沿って十分な速度を有し、全水蒸気流を含めた容積流量が水蒸気ボイラの容量と一致するように選択される。
【００６０】
上記のＣＩＰＰチューブの取り付け及び硬化に平置きホースを使用することで、３つの有意義な目的が達成される。
【００６１】
１．水蒸気エネルギーが、ＣＩＰＰチューブの底部において全長に亘って投入されることで、近位端部から遠位端部にかけての温度成層化を防止する。
【００６２】
２．近位端部から穴までの距離が長くなると、各穴から注入される実際の水蒸気量が少なくなる。これは、注入した水蒸気の平均滞留時間がＣＩＰＰチューブを硬化するために最適化されることを意味する。
【００６３】
３．平置きホースの配置により、ホストパイプの撓んだ領域に凝縮水が溜まった場合でも、ＣＩＰＰチューブの底部が確実に硬化する。平置きホースの外部温度が２００°Ｆとされ、水蒸気を注入して凝縮させる、貫通した水蒸気穴を設けることで、効果的な硬化が保証される。
【００６４】
硬化ライナに、このような方法で水蒸気を供給することで、硬化サイクル中にＣＩＰＰチューブに注入される水蒸気１ポンド当たりの、硬化する樹脂のポンド数で表される硬化効率が高まる。チューブの長手方向に沿ってエネルギーが一様に分布する結果、チューブの上部から底部まで、そして近位端部から遠位端部まで均等な加熱の開始がもたらされる。
【００６５】
膨張ブラダ２４の反転が続行されて、定められた下側開口端１７に近づくと、排出管２１が反転面から出始める。その正確な位置は、下側開口端１７から延びるライナの遠位端部１８ｂに検査開口１８ｃを開けることで決められる。これは、図５に、より詳細に示されている。膨張ブラダ２４内の空気圧は、反転を止めたときに維持される。この時点で、排出管２１は、図６（ａ）に示すように、端封鎖用アセンブリ６１に向かう。図６（ｂ）は、完全に反転した状態の膨張ブラダ２４を示しており、排出管２１が図７（ａ）の端封鎖用アセンブリ６１を貫通している。アセンブリ６１の詳細を図７（ａ）及び図７（ｂ）に示す。反転は、膨張ブラダ２４が端封鎖用アセンブリ６１によって止められ、排出管２１が端封鎖用アセンブリ６１内に係合されるまで続く。
【００６６】
封鎖用アセンブリ６１は、排出管２１が下側開口端１７を出たときに、排出管２１を係合させるために、拡がった中央領域６３を備えた上側の平クランプ６２と、拡がった中央領域６６を備えた下側の平クランプ６４を有する。上側クランプ６２及び下側クランプ６４はいずれも、ライナ１８の遠位端部付近に多数のボルト６７により、ともに固定される。
【００６７】
この時点で、取り付けた穴付き平置きホース７１に水蒸気が導入されて、引き込みライナ１８及び膨張ブラダ２４内の樹脂の硬化が始まる。本発明の例示的な実施形態では、平置きホース７１は、直径が４インチ（１０．１６ｃｍ）の高温熱可塑性チューブである。両側の折り曲げ部の折れた縁部から１／２インチ（１．２７ｃｍ）のところで、１／８インチ（０．３１７５ｃｍ）のオリフィスが１フィート（３０．８ｃｍ）間隔で開いている。このオリフィスパターンにより、より多くの水蒸気が近位端部にもたらされ、ホース７１が取り付け時に回転した場合でも良好な混合が保証される。水蒸気は水蒸気流入ホースから供給され、このホースは、水蒸気を供給するための注入管に空気及び水蒸気の混合物を供給する弁マニホルドによって調整される。空気と水蒸気の流れは、混合した空気及び水蒸気流の温度が、排出管で測定して約１７０°Ｆ乃至約２２０°Ｆの所望の温度に達するまで、硬化圧力を約３ｐｓｉ（約２０６８４Ｐａ）乃至約６ｐｓｉ（約４１３６９Ｐａ）に維持するように調整される。
【００６８】
ｐｓｉｇ単位で表した推奨の暖機圧及び硬化圧は以下の通りである。
【００６９】
【表３】
2008518820.tif 000005
【００７０】
特定の樹脂とチューブ厚にもよるが、硬化が完了した場合に、水蒸気流を止めると同時に、空気流を調整して硬化圧を維持する。排出弁が調整されて、少なくとも１時間が経過するまでの間、時計の６時位置で約１３０°Ｆへの冷却が行われる。
【００７１】
温度が所望のレベルまで冷却されると、空気流の圧力はゼロに低下し、排出弁が完全に開かれる。ブラダ２４内に溜まった凝縮水は、排出アセンブリ２１の凝縮水の排出管３３によって取り出される。
【００７２】
本明細書で説明した現場硬化型パイプ（ＣＩＰＰ）用ライナの、空気反転及び水蒸気硬化による設置法は、中径から大径（１８インチ乃至８４インチ）のライナを取り付け、硬化させるための、費用効果が高く効率の良い方法である。水蒸気を使用して、反転したライナを収縮させることなく硬化させるには、これらと同径のＣＩＰＰ用ライナをより一般的に熱水で硬化させる場合とは、全く異なる手順が必要である。熱水による硬化を用いた手順では通常、熱水はボイラに再循環される。これに対して、水蒸気による硬化では、凝縮及び圧力損失を回避するために、単一の貫流路を使用する。また、そのような凝縮によって、ライナの底部には低温領域が生じ、硬化に必要なエネルギーを供給できなくなる。中径及び大径のＣＩＰＰ用ライナに対して水蒸気による硬化を使用する場合もまた、小径（６インチから１５インチ）のＣＩＰＰ用ライナの、水蒸気による硬化で使用する技術とは異なる技術が必要である。
【００７３】
適切に使用すれば、水蒸気による硬化では、熱水による硬化で使用される水量の約５％、エネルギーの約１５％乃至約３０％しか使用しないという点で、水蒸気による方法は水による方法に比して、環境に対して遥かに優しい硬化方法である。ＣＩＰＰ用ライナに対する水蒸気による硬化の使用を１８インチ（４５．７２ｃｍ）以上の直径まで拡張しようとする初期の試みでは、多くの場合、取り付けたＣＩＰＰ用ライナの下側部分の硬化が不完全であった。多量の水蒸気、及び／又は水蒸気と空気を使用することにより、この硬化問題を克服する試みは、ほんの少し成功したに過ぎない。また、多量の水蒸気を導入すると、硬化サイクル時間が長くなりがちであって、使用するエネルギーが増大し易い。サイクル時間が延び、エネルギーが増えたとしても、特定の現場条件下で効果的に硬化させることはその実現が困難である。これは、温度成層化のためと、パイプ及び硬化ライナの下側部分に凝縮水が溜まる領域が存在することによるものと考えられる。溜まった凝縮水は、蒸気ブランケットからその下の樹脂層への熱伝達を遮って妨げる。
【００７４】
中径から大径のＣＩＰＰ用ライナを熱水で硬化させるには通常、硬化する樹脂１ポンド当たり約１５００ＢＴＵから約２５００ＢＴＵの熱量を必要とする。これに対して、小径（６インチから１２インチ）の蒸気硬化ライナでは、硬化する樹脂１ポンド当たり約７００ＢＴＵから約１０００ＢＴＵの熱量を必要とする。
【００７５】
上述の方法は、ＣＩＰＰ用ライナの底部に凝縮水が溜まった領域が存在したとしても、樹脂１ポンド当たり約３００ＢＴＵから約５００ＢＴＵで完全なＣＩＰＰ硬化を確実に行うことができる。これは、温度成層化及び溜まった凝縮水による硬化への悪影響をなくすように蒸気注入位置を調整する、水蒸気注入方法を使用することで可能になる。この方法はまた、ＣＩＰＰ用ライナの長手方向に沿って水蒸気注入の量及び位置を調整して、凝縮水又は水蒸気としてＣＩＰＰ用ライナの遠端部から水蒸気が排出される前に、各ポンドの水蒸気から樹脂フェルト層への熱伝達を最大化する。
【００７６】
本明細書で説明したように、水蒸気は、端部が閉じたホースに注入され、このホースは、反転されて膨張したＣＩＰＰ用ライナ内に置かれる。制御弁を備えた独立した排出口が、ＣＩＰＰ用ライナの遠位端部からの水蒸気及び凝縮水の排出を調整するために設けられる。ホースは、該ホースの全長に亘って（所定の大きさ及び間隔で）離間した多数のオリフィスを含む。オリフィスの、ホースの周方向における配置は、ＣＩＰＰ用ライナ内を移動中にホースが如何に回転しようとも、ホースの長手方向に沿った多数のオリフィスがＣＩＰＰ用ライナの底部の方を向くように設計される。これにより、硬化サイクルの間中、水蒸気は、溜まった凝縮水へと絶えず注入される。水蒸気を凝縮水に注入すると、凝縮水は、確実に硬化させるのに必要な温度を超えて加熱される。
【００７７】
蒸気注入ホースの端部を閉じることで、注入ホースの内圧をＣＩＰＰ用ライナの内部硬化圧よりも高くすることができる。注入した蒸気は、ホースの長手方向に移動するので、オリフィスを通って強制的に排出され、ＣＩＰＰ用ライナ内に蒸気ブランケットを形成する。水蒸気注入ホースの内圧とＣＩＰＰの内圧との間の内圧差は、水蒸気が水蒸気注入ホースの注入端部から離れるにつれて小さくなる。従って、各オリフィスから注入される水蒸気量は、蒸気注入ホースの長さに沿って減少する。
【００７８】
これによって３つの事項が達成される。
【００７９】
１．滞留時間が長くなり、それによって、大部分の水蒸気がＣＩＰＰ用ライナの内部で利用でき、樹脂フェルト層への熱伝達が最大化される。
【００８０】
２．水蒸気がＣＩＰＰ用ライナの排出端部に向けて移動するときに、蒸気ブランケットにエネルギーをさらに連続して加え、エネルギー伝達率を高い状態に維持する。
【００８１】
３．蒸気ブランケットに水蒸気を注入することで乱流が発生し、この乱流は温度成層化をなくし、エネルギー伝達を増加させる。
【００８２】
ＣＩＰＰ用ライナの物理的な特性（直径、長さ、厚さ、樹脂、及び触媒システム）と、単位時間当たりのＢＴＵでの、利用可能なボイラ出力を知ることで、オリフィスの寸法を調整して、単位時間当たりの水蒸気のポンド数で表したボイラ出力を、推奨の硬化サイクル時間に整合させることができる。
【００８３】
容易に分かるように、本発明による方法では、貫流水蒸気を用いて樹脂ライナを硬化させるという利点が簡単に得られる。この方法を実施することによって、管状部材は、既設輸送管路を通って簡単に反転させることができる。選択的に開くことが可能な排出弁と排出管を反転膨張ブラダの後端部に設けることによって、ブラダ及び膨張ライナ内で圧力を維持することができ、水蒸気を反転部の入り口に導入して硬化ライナに貫流させ、その水蒸気の保有する利用可能な、より高いエネルギーを利用することで、循環熱水を利用して硬化させる場合よりも、遥かに速く樹脂を硬化させることができる。
【００８４】
前述の記載から明らかになった目的のうち、上述の目的が効率的に達成されることは勿論であり、そして、本発明の趣旨及び範囲から逸脱することなく、上記の構成に特定の変更を加えて上記の方法を実行できることから分かるように、上記の記載に含まれ、かつ添付図面に示した全ての事項は例示として解釈されるべきものであって、限定を意図するものではない。
【００８５】
また、特許請求の範囲は、本明細書に述べられた本発明の一般的で具体的な特徴の全て、そして、言語の問題として、その範疇に入るものとされる本発明の範囲に係る全記述を網羅することを意図すると理解される。
【図面の簡単な説明】
【００８６】
【図１】ホストパイプへのライニングを行う取付作業の開始時において、典型的な州間ハイウェイの排水路内に、排水路の上流、つまり反転端から、排水路の下流、つまり末端まで、樹脂含浸の現場硬化型ライナを引き込む様子を概略的に示す断面立面図である。
【図２（ａ）】現場硬化型膨張ブラダ内に排出ホースアセンブリを取り付ける際の当該アセンブリを示す概略断面図である。
【図２（ｂ）】現場硬化型膨張ブラダ内に排出ホースアセンブリを取り付ける際の当該アセンブリを示す概略断面図である。
【図２（ｃ）】現場硬化型膨張ブラダ内に排出ホースアセンブリを取り付ける際の当該アセンブリを示す概略断面図である。
【図３】本発明に従って図２の排出ホースアセンブリにバンド留めされた現場硬化型膨張ブラダの上面図である。
【図４】本発明に従って図３の膨張ブラダを空気で反転させる場合において、加圧される反転ユニットを示す概略断面図である。
【図５】本発明に従って排出管の位置を定めるために、検査フラップを用いた取り付け時に、ホストパイプの末端部における膨張ブラダの反転面を示す概略断面図である。
【図６（ａ）】現場での端封鎖用フレームとともに図５に示すホストパイプの末端部における膨張ブラダの反転面を示す概略断面図である。
【図６（ｂ）】図７（ａ）の端封鎖用フレームを貫通して延びる排出アセンブリを用いて完全に反転された膨張ブラダを示す概略断面図である。
【図７（ａ）】図６（ｂ）の端封鎖用フレームを線７ａ−７ａに沿って切断して示す断面図である。
【図７（ｂ）】線７ｂ−７ｂに沿った断面図である。
【図８（ａ）】本発明に従って現場硬化型膨張ブラダ内に排気口を形成する工程を示す上面図である。
【図８（ｂ）】本発明に従って現場硬化型膨張ブラダ内に排気口を形成する工程を示す上面図である。
【図８（ｃ）】本発明に従って現場硬化型膨張ブラダ内に排気口を形成する工程を示す上面図である。
【図１】
2008518820.tif 000006
【図２（ａ）】
2008518820.tif 000007
【図２（ｂ）】
2008518820.tif 000008
【図２（ｃ）】
2008518820.tif 000009
【図３】
2008518820.tif 000010
【図４】
2008518820.tif 000011
【図５】
2008518820.tif 000012
【図６】
2008518820.tif 000013
【図７ａ】
2008518820.tif 000014
【図７ｂ】
2008518820.tif 000015
【図８（ａ）】
2008518820.tif 000016
【図８（ｂ）】
2008518820.tif 000017
【図８（ｃ）】
2008518820.tif 000018
【手続補正書】
【提出日】平成19年7月3日(2007.7.3)
【手続補正１】
【補正対象書類名】特許請求の範囲
【補正対象項目名】全文
【補正方法】変更
【補正の内容】
【特許請求の範囲】
【請求項１】
可撓性の樹脂含浸ライナを反転させて該ライナを既設輸送管路に合致させ、樹脂を硬化させることによって、第１の出入りポイントから第２の出入りポイントまで可撓性の樹脂含浸ライナを用いて既設輸送管路の非開削更生を行う方法であって、
可撓性の樹脂含浸ライナを供給して、可撓性ライナの一端部を前記第１の出入りポイントから前記第２の出入りポイントまで輸送管路に引き込み、
可撓性の膨張ブラダを供給し、
前記膨張ブラダの末端部に排出部を配置し、
前記排出部が前記第２の出入りポイントに到達するように、前記排出部を有する前記膨張ブラダを、可撓性ライナ内へと空気で反転させ、
水蒸気をブラダ内に導入して、水蒸気がブラダを貫流して前記排出部から出るようにし、
ライナ内の樹脂を硬化させる方法。
【請求項２】
前記膨張ブラダは樹脂含浸材料層を有する、請求項１に記載の方法。
【請求項３】
前記膨張ブラダ内の樹脂は前記ライナ内の樹脂とともに硬化する、請求項２に記載の方法。
【請求項４】
前記排出部は、選択的に開くことができる弁を備えた第１のキャップ付き端部と、第２の開口端部を有する管である、請求項１に記載の方法。
【請求項５】
排出管は、前記キャップ付き端部が前記ブラダに挿入された状態で前記膨張ブラダの末端部に固定される請求項４に記載の方法。
【請求項６】
可撓性の平置きホースを前記膨張ブラダの末端部に固定するステップをさらに有する、請求項１に記載の方法。
【請求項７】
水蒸気が前記平置きホースを通って前記ブラダ内に導入される、請求項６に記載の方法。
【請求項８】
反転が完了する前に、水蒸気ホースを前記平置きホースの末端部に取り付けるステップをさらに有する、請求項６に記載の方法。
【請求項９】
平置きホースを提供するステップをさらに有し、該平置きホースはその長手方向に沿って平らな状態の平置きベースを貫通して形成される複数の開口を有するようにした、請求項６に記載の方法。
【請求項１０】
前記開口は扁平な前記平置きホースの２つの側縁部に沿って交互に形成される、請求項９に記載の方法。
【請求項１１】
前記平置きホースの末端部を前記膨張ブラダ内に通す前に、蒸気源を前記平置きホースの末端部に取り付けることをさらに含む、請求項６に記載の方法。
【請求項１２】
前記ブラダ内に圧力を発生させるための少なくとも１つの可撓性をもった括約筋状の弁を有する反転ユニットに、前記膨張ブラダを通して反転させるステップを有する、請求項１１に記載の方法。
【請求項１３】
前記ブラダは前記括約筋状の弁の下流で前記反転ユニットに導入される空気を用いて反転される、請求項１２に記載の方法。
【請求項１４】
可撓性の樹脂含浸チューブを反転させて、既設輸送管路の非開削更正を行う方法であって、
前記可撓性の樹脂含浸チューブを供給し、
前記チューブを既存の管内へと反転させ、
反転される前記チューブの末端部に、穴の開いた平置きホースを取り付け、
反転したチューブを貫流する水蒸気用の排出部を用意し、
前記平置きホース及び反転した前記チューブの内部に水蒸気を導入して、水蒸気が前記排出部を貫流するようにし、
含浸チューブの樹脂を硬化させる方法。
【請求項１５】
反転した前記含浸チューブの長手方向に沿って水蒸気を分布させるために、平らな状態の平置きホースの側縁部に複数の開口を交互に形成するステップを有する、請求項１４に記載の方法。
【請求項１６】
水蒸気がチューブの底部に形成された凝縮水溜まりに注入される、請求項１５に記載の方法。
【請求項１７】
樹脂含浸ライナを用いて既設輸送管路の非開削更正を行うための排出アセンブリであって、
第１の端部にて選択的に開くことが可能な弁及びアセンブリの第１の端部を閉鎖するキャップを有する細長い中空の管状部材を備え、
前記管状部材は、可撓性の樹脂含浸チューブの末端部の内部に位置する、バンド締めのための第２の開口端部を有し、ホース部分のキャップ付き端部が前記チューブ内に位置され、前記開口端部がライナの端部を向くようにした排出アセンブリ。
【請求項１８】
前記第２の開口端部に固定された凝縮水ドレインをさらに有する、請求項１７に記載の排出アセンブリ。
【請求項１９】
前記第２の開口端部に取り付けられた抑止取付具をさらに有する、請求項１７に記載の排出アセンブリ。
【請求項２０】
チューブ内に形成される外側の不浸透性層を有する樹脂含浸可能材料からなる一本のライニング材料と、
チューブの末端部に形成された排気口を有し、該排気口は、不浸透性層及び隣接する含浸可能材料に開けた穴と、前記チューブの長手方向に向いた部分を付着させずに前記穴を覆うように位置した、ライニング材料からなる第１のパッチ部材と、非固定とされる領域にて、前記不浸透性層に固定された前記第１のパッチ部材と重なるように配置した第２のパッチ部材を用いて形成されており、前記非固定とされる領域は前記第１のパッチ部材の非固定の領域と協働して、前記チューブが反転される際に、前記穴を通して空気を逃がすようにした可撓性樹脂ライナ。
【請求項２１】
現場硬化型ライナを水蒸気で硬化させるための平置きホースであって、
蒸気温度に耐え得る材料からなる一本の可撓性ホースと、
平置き状態のホースの側縁部に形成された複数の穴と、を備える平置きホース。
【請求項２２】
前記穴は前記側縁部において交互に形成されている、請求項２１に記載の平置きホース。
【請求項２３】
前記ホースの遠位端部が閉じている、請求項２１に記載の平置きホース。
【請求項２４】
前記穴が４インチから１８インチの間隔をもって離間して形成される、請求項２１に記載の平置きホース。
【請求項２５】
前記ホースがゴム製である、請求項２１に記載の平置きホース。
【請求項２６】
前記ホースはポリエステルで強化されたニトリル被覆の排出ホースである、請求項２５に記載の平置きホース。
【請求項２７】
抑止装置を反転する膨張ブラダの末端部に取り付けるステップを有する、請求項１に記載の方法。
【請求項２８】
抑止装置を反転するチューブの末端部に取り付けるステップを有する、請求項１４に記載の方法。
【請求項２９】
樹脂含浸ライナを引き込み、含浸チューブを引き込んだライナ内へと反転させるステップを有する、請求項１４に記載の方法。
【請求項３０】
第１の出入りポイントから第２の出入りポイントまで可撓性の樹脂含浸ライナで既設輸送管路の非開削更正を行う方法であって、可撓性の樹脂含浸ライナを用いて該ライナを既設輸送管路に合致させて、樹脂を硬化させる方法において、
可撓性の樹脂含浸ライナを供給して、可撓性ライナの一端部を前記第１の出入りポイントから前記第２の出入りポイントまで輸送管路に引き込み、
可撓性の膨張ブラダを供給し、
前記膨張ブラダを前記可撓性ライナの内部へと空気で反転させ、
穴の開いた可撓性の平置きホースを前記膨張ブラダの末端部に固定し、
穴の開いた前記平置きホース内に水蒸気を導入して水蒸気がブラダを貫流するようにし、
ライナ内の樹脂を硬化させる方法。
【請求項３１】
抑止装置を反転する前記膨張ブラダの末端部に取り付けるステップを有する、請求項３０に記載の方法。
【国際調査報告】
2008518820.tif 000019
2008518820.tif 000020
2008518820.tif 000021
2008518820.tif 000022